(57)【要約】【課題】  既設の載置台上に載置された状態にある室外機の上方に、該室外機への重量負担をかけることなく、好適に屋根を増設することができる屋根増設装置を提供する。【解決手段】  載置台である平置台１１には、室外機１０が載置されており、この平置台１１上に屋根増設装置１２が取り付けられている。屋根増設装置１２は、平置台１１上に付設される支持装置１３として左右一対の支持枠２３と、これら支持枠２３によって室外機１０の上方に支持される屋根装置１４とからなる。支持枠２３は、各支柱２４の下端部に設けられた連結装置２８により、室外機１０の各隅角部に設けられた連結穴２２に連結固定されている。【選択図】      図１
2006153308.tif 000002
【特許請求の範囲】
【請求項１】
空気調和機用室外機を載置可能に構成された載置台上に付設される支持装置と、この支持装置によって下方から支持される屋根板とを備えており、該屋根板は、前記支持装置によって下方から支持された場合に、前記載置台上に載置された状態にある空気調和機用室外機の上方を覆う位置に配置されている屋根増設装置。
【請求項２】
前記支持装置は、前記載置台上に付加的に立設される複数本の支柱を有しており、各支柱の下端部には、該各支柱を前記載置台に対して連結固定するための連結装置が設けられている請求項１に記載の屋根増設装置。
【請求項３】
前記連結装置は、前記載置台に設けられて前記各支柱の下端部と対応する連結穴の大きさに応じて、前記各支柱の下端部に装着される少なくとも１種類の連結具を備えている請求項２に記載の屋根増設装置。
【請求項４】
前記連結具は、前記支柱の下端部の外側面により形成される支柱輪郭形状が前記連結穴の内側面により形成される連結穴輪郭形状よりも小さい場合に前記各支柱の下端部に装着され、前記連結穴内に該連結穴の内側面と前記支柱の外側面との間隙を埋めるようにして挿入される間詰部材である請求項３に記載の屋根増設装置。
【請求項５】
前記連結具は、前記支柱の下端部の外側面により形成される支柱輪郭形状が前記連結穴の内側面により形成される連結穴輪郭形状よりも大きい場合に前記各支柱の下端部から下方へ突出するように装着され、前記連結穴内に嵌合態様で挿入される挿入部材である請求項３に記載の屋根増設装置。
【請求項６】
前記連結装置は、前記連結穴内に前記連結具が挿入された場合に前記連結具の外側面を前記連結穴の内側面に圧接させる圧接具を備えている請求項３〜請求項５のうち何れか一項に記載の屋根増設装置。
【発明の詳細な説明】
【技術分野】
【０００１】
本発明は、載置台上に載置された状態にある空気調和機用室外機の上方に屋根を増設するための屋根増設装置に関するものである。
【背景技術】
【０００２】
従来、空気調和機用室外機（以下、「室外機」と略称する。）は、載置台に載置された状態で屋外に設置されることがあり、このような場合に使用される載置台として、例えば特許文献１に示すような載置台が知られている。しかし、この特許文献１に記載される載置台は、室外機を載置するための枠組構造を有しているだけで、該室外機の上方を覆うための屋根を有していない。このため、特許文献１の載置台では、例えば降雪地帯で使用された場合に室外機への積雪を防止したり、炎天下で室外機へ直射日光が照射されることを防止したり等することができなかった。以下、特許文献１に示されるような載置台のことを「屋根なし載置台」という。
【０００３】
そこで、このような積雪、直射日光等から屋根なし載置台上に載置された室外機を保護するための屋根装置として、例えば特許文献２に示すような日除け・防雪用の屋根装置が提案されている。この特許文献２に記載される屋根装置は、室外機の天板上に固定される支持具と、この支持具に取着される屋根固定具と、この屋根固定具によって前記室外機の上方を覆うように支持される屋根板とを備えている。そして、上記の屋根なし載置台上に載置された状態にある室外機の上方に屋根を増設する際には、該室外機の天板上に前記支持具及び屋根固定具を介在させて屋根板を傾斜した状態に支持固定するように構成されている。
【特許文献１】特開２０００−３９０９７号公報（図１、図７）
【特許文献２】特開平１１−１５９８０９号公報（図１）
【発明の開示】
【発明が解決しようとする課題】
【０００４】
ところで、上記特許文献２に記載の屋根装置では、屋根板が支持具等を介して室外機の天板上に支持固定される構造となっている。そのため、室外機の上方を覆うように屋根を増設した場合には、該室外機の天板に対して、前記屋根板や該屋根板を支持固定するための支持具及び固定具等の総重量が加わることになるが、一般に室外機の天板は、軽量化の要請等のために板厚も薄くなっており、それほど強度的に優れているわけではない。したがって、例えば豪雪時等において屋根板上への積雪量が過大となったような場合には、その重量に室外機の天板が耐えられなくなるという虞もあった。
【０００５】
一方、載置台に関しては、特許文献１に示す屋根なし載置台以外に、屋根板を備える屋根付き載置台というものも提案されている。この屋根付き載置台は、室外機が載置される水平な載置枠部分及び屋根板を支持するための支柱等にて全体的な枠組構造が一体的に組み上げ形成された構成をしている。すなわち、この屋根付き載置台の場合は、既設の屋根なし載置台上に載置された状態にある室外機の上方に屋根板のみを増設するという使用形態は想定されていない。したがって、既設の屋根なし載置台上に載置された状態にある室外機を積雪、直射日光等から保護するべく、特許文献２の屋根装置を用いずに、上記の屋根付き載置台を利用するとした場合には、既設の屋根なし載置台を撤去し、その交換として新たに屋根付き載置台を設置し直すことになるため、コスト面も含めて設置の利便性に劣るものとなっていた。
【０００６】
本発明は、このような従来技術に存在する問題点に着目してなされたものである。その目的とするところは、既設の載置台上に載置された状態にある室外機の上方に、該室外機への重量負担をかけることなく、好適に屋根を増設することができる屋根増設装置を提供することにある。
【課題を解決するための手段】
【０００７】
上記の目的を達成するために、屋根増設装置に係る請求項１に記載の発明は、空気調和機用室外機を載置可能に構成された載置台上に付設される支持装置と、この支持装置によって下方から支持される屋根板とを備えており、該屋根板は、前記支持装置によって下方から支持された場合に、前記載置台上に載置された状態にある空気調和機用室外機の上方を覆う位置に配置されていることを要旨とする。
【０００８】
上記請求項１に記載の発明によれば、載置台上に付設された支持装置により屋根板が支持される構造となるため、屋根板と該屋根板を支持する支持装置の総重量は、載置台に対して加わることになり、載置台上に載置された空気調和機用室外機の天板には加わらない。すなわち、例えば豪雪時等において屋根板上への積雪量が過大となっても、その重量は支持装置を介して載置台で受けられることになる。従って、既設の屋根なし載置台上に載置された状態にある室外機の上方に、該室外機への重量負担をかけることなく、好適に屋根を増設することができる。
【０００９】
請求項２に記載の発明は、請求項１に記載の屋根増設装置において、前記支持装置は、前記載置台上に付加的に立設される複数本の支柱を有しており、各支柱の下端部には、該各支柱を前記載置台に対して連結固定するための連結装置が設けられていることを要旨とする。そのため、請求項２に記載の発明によれば、支持装置を構成する支柱の下端部に連結装置が設けられているため、該連結装置を用いて既設の載置台に対しても各支柱の下端部を連結固定することにより、屋根装置を簡易に増設することができるようになる。
【００１０】
請求項３に記載の発明は、請求項２に記載の屋根増設装置において、前記連結装置は、前記載置台に設けられて前記各支柱の下端部と対応する連結穴の大きさに応じて、前記各支柱の下端部に装着される少なくとも１種類の連結具を備えていることを要旨とする。そのため、請求項３に記載の発明によれば、載置台側の連結穴内に支持装置側の各支柱の下端部を嵌合態様で挿入できない場合には、各支柱の下端部に対して連結具を装着することにより、載置台上に支持装置を好適に付設できるようになる。
【００１１】
請求項４に記載の発明は、請求項３に記載の屋根増設装置において、前記連結具は、前記支柱の下端部の外側面により形成される支柱輪郭形状が前記連結穴の内側面により形成される連結穴輪郭形状よりも小さい場合に前記各支柱の下端部に装着され、前記連結穴内に該連結穴の内側面と前記支柱の外側面との間隙を埋めるようにして挿入される間詰部材であることを要旨とする。そのため、請求項４に記載の発明によれば、特に支柱の下端部よりも連結穴の方が大きい場合に、間詰部材からなる連結具が好適に機能するようになる。
【００１２】
請求項５に記載の発明は、請求項３に記載の屋根増設装置において、前記連結具は、前記支柱の下端部の外側面により形成される支柱輪郭形状が前記連結穴の内側面により形成される連結穴輪郭形状よりも大きい場合に前記各支柱の下端部から下方へ突出するように装着され、前記連結穴内に嵌合態様で挿入される挿入部材であることを要旨とする。そのため、請求項５に記載の発明によれば、特に支柱の下端部よりも連結穴の方が小さい場合に、挿入部材からなる連結具が好適に機能するようになる。
【００１３】
請求項６に記載の発明は、請求項３〜請求項５のうち何れか一項に記載の屋根増設装置において、前記連結装置は、前記連結穴内に前記連結具が挿入された場合に前記連結具の外側面を前記連結穴の内側面に圧接させる圧接具を備えていることを要旨とする。そのため、請求項６に記載の発明によれば、圧接具を用いて連結具の外側面を連結穴の内側面に圧接させることにより、載置台上に支持装置を強固に取付けることができる。
【発明の効果】
【００１４】
本発明によれば、既設の屋根なし載置台上に載置された状態にある室外機の上方に、該室外機への重量負担をかけることなく、好適に屋根を増設することができる。
【発明を実施するための最良の形態】
【００１５】
（第１実施形態）
以下、本発明を、１基の空気調和機用室外機（以下、「室外機」と略称する。）を載置可能に構成された屋根なし載置台としての平置台に使用される屋根増設装置に具体化した第１実施形態について図１〜図５を参照しながら説明する。なお、以下の説明において、「左右方向」をいう場合は室外機を正面視した状態における左右方向をいうものとし、「前後方向」をいう場合は室外機の正面側を前方、室外機の背面側を後方とした前後方向をいうものとする。
【００１６】
図１に示すように、家屋等といった建築物の屋外において、室外機１０（２点鎖線で図示）は、平置台１１に載置された状態で設置されている。この平置台１１上には、屋根増設装置１２が取り付けられている。屋根増設装置１２は、前記平置台１１に付設される支持装置１３と、該支持装置１３により下方から支持される屋根装置１４とからなる。該屋根装置１４は、屋根板１５を有している。そして、この屋根板１５は、前記屋根装置１４が前記支持装置１３により下方から支持された場合、前記平置台１１上に載置された状態にある前記室外機１０の上方で該室外機１０の天板１０ａを覆う位置に配置されている。
【００１７】
以下、上記の平置台１１、支持装置１３及び屋根装置１４のそれぞれについて、より詳細に説明する。
まず、平置台１１について説明する。図１に示すように、平置台１１は、４本の支持脚１６と、各支持脚１６のうち左右各一対の上端部間に架設された一対の横フレーム１７及び前後各一対の上端部間に架設された一対の縦フレーム１８とを備えている。各一対の横フレーム１７及び縦フレーム１８は、それぞれの端部が接続具１９によって互いに接続されるとともに、同接続具１９によって各支持脚１６に接続されることにより、平置台１１の枠組構造を構成している。一対の横フレーム１７の間には、一対のベース２０が架設されており、これらベース２０上に前記室外機１０が載置固定されるようになっている。各支持脚１６は、それぞれ筒状に形成されており、それぞれの下端には、各支持脚１６の高さ調整を行うための調整脚２１が取り付けられている。そして、各支持脚１６の上端の開口は、それぞれ前記支持装置１３を取り付けるための連結穴２２とされている。なお、特に図示はしないが、各連結穴２２には、屋根増設装置１２が取り付けられる前の状態でキャップが嵌め込まれており、屋根増設装置１２を取り付ける場合、このキャップを連結穴２２から取り外すようになっている。
【００１８】
ここで、「屋根なし載置台」とは、前記室外機１０を水平とするべく設けられるものであり、上記のような屋根板１５を有しないものをいう。すなわち、載置台としての平置台１１は、前記調整脚２１により各支持脚１６の高さをそれぞれ調整することにより、前記室外機１０を水平位置に保持する機能を奏し得るが、防雪・日除けの機能を奏し得ないものである。また、１基の室外機１０を載置可能とする「屋根なし載置台」としては、図１に示した平置台１１と、「高置台」と呼称されるものとの２種類がある。「高置台」は、例えば積雪地帯等のように、室外機１０を地面から遠く離して設置する必要がある場合に使用されるものであり、各支持脚１６の長さが平置台１１のそれに比べて長くなってはいるが、この支持脚１６の長さを除き、平置台１１と「高置台」とは同一の構成とされている。従って、「高置台」においても、平置台１１と同様にして屋根増設装置１２を取り付けることが可能となっている。
【００１９】
次に、前記支持装置１３について説明する。図１に示すように、支持装置１３は、左右一対の支持枠２３からなる。各支持枠２３はそれぞれ、前後一対の支柱２４と、これら支柱２４の上端部間を連結する屋根固定フレーム２５とにより、門状に形成されている。支柱２４は、筒状に形成され、その上端部に外嵌された連結ブラケット２６を介して屋根固定フレーム２５と連結されている。また、屋根固定フレーム２５の内側面には、前記屋根装置１４を取り付けて固定するための複数の屋根固定孔２７が設けられている。そして、各支柱２４の下端部には、これら各支柱２４を前記平置台１１に対して連結固定するための連結装置２８が設けられている。
【００２０】
図２及び図３（ａ），（ｂ）に示すように、前記連結装置２８は、支柱２４の下端部に装着される連結具としての連結筒２９と、圧接具３０とを備えている。支柱２４の下端壁部には、これら連結筒２９及び圧接具３０を固定するための上下一対の固定穴３１が穿設されている。連結筒２９は、前記支柱２４の内部に挿入されるとともに、各固定穴３１とそれぞれ対応する位置にねじ穴３２が螺設されている。圧接具３０は側面視でクランク状をなす板材から形成され、支柱２４の外面に当接されている。圧接具３０の上部３０ａには、該圧接具３０を支柱２４に取り付けるための一対の取付穴３３が前記各固定穴３１と対応する位置となるようにそれぞれ設けられている。また、圧接具３０の下部３０ｂには、同圧接具３０を前記平置台１１の前記支持脚１６に前記接続具１９とともに共締めするための締付穴３４が穿設されている。
【００２１】
ここで、前記平置台１１及び前記支持装置１３に対する前記連結装置２８の取付態様について説明する。
連結装置２８において、連結筒２９及び圧接具３０の上部３０ａは支柱２４に対し、取付穴３３及び固定穴３１に取付ねじ３５を挿入し、該取付ねじ３５をねじ穴３２に螺入することにより、該支柱２４を挟み込むようにして装着されている。該連結筒２９は、その下端部２９ａが支柱２４の下端部から下方へ突出するようにして装着されている。この連結筒２９は、その外側面により形成される連結筒輪郭形状（図３（ｂ）中に「Ｓ１」として図示）が、前記連結穴２２の内側面により形成される連結穴輪郭形状（図３（ｂ）中に「Ｓ２」として図示）と略同じ大きさとなるように形成されている。これに対し、支柱２４は、その下端部の外側面により形成される支柱輪郭形状（図３（ｂ）中に「Ｓ３」として図示）が前記連結穴輪郭形状Ｓ２よりも大きく形成されている。なお、当然ではあるが、連結筒２９は支柱２４へ挿入可能に構成されていることから、連結筒輪郭形状Ｓ１は、支柱輪郭形状Ｓ３よりも小さくなるように形成されている。このように連結穴輪郭形状Ｓ２が支柱輪郭形状Ｓ３よりも小さいため、本実施形態の平置台１１においては、支柱２４を連結穴２２に挿入することは不可能である。このため、平置台１１に支柱２４を連結する場合、平置台１１の連結穴２２には、支柱２４から突出した連結筒２９の下端部２９ａを挿入部材として、該下端部２９ａが嵌合態様で挿入される。
【００２２】
一方、前記平置台１１の枠組構造を構成する場合、前記接続具１９は、その接続穴３６に六角穴付ボルト３７が挿通されて、該六角穴付ボルト３７を前記支持脚１６に螺入することにより接続されている。このように六角穴付ボルト３７で支持脚１６に接続具１９を接続する構成とした平置台１１の連結穴２２に連結筒２９の下端部２９ａを挿入する場合、該下端部２９ａは接続穴３６と対応する位置よりも上方に配置せざるを得ず、該連結筒２９の連結穴２２に対する挿入が浅くなる可能性が高い。そこで、当該連結装置２８は、平置台１１に対する支柱２４の固定を強固なものとするべく、前記平置台１１の支持脚１６に圧接具３０の下部３０ｂを接続具１９とともに共締めする構成としている。
【００２３】
すなわち、圧接具３０の下部３０ｂにおいて、締付穴３４は、前記接続穴３６と対応する位置に配置されている。圧接具３０は、締付穴３４に前記六角穴付ボルト３７が挿入された状態で、該六角穴付ボルト３７を前記接続具１９の前記接続穴３６を介して前記支持脚１６に螺入することにより、その下部３０ｂが接続具１９とともに支持脚１６に共締めされ、固定される。この圧接具３０は、前記連結穴２２に前記連結筒２９の下端部２９ａが挿入された場合、前記接続具１９とともに支持脚１６に固定された状態で、前記下端部２９ａの外側面を前記連結穴２２の内側面に圧接させる機能を奏し得る。また、該圧接具３０は、支持脚１６に固定されることにより、前記連結穴２２に対する前記連結筒２９の下端部２９ａの抜け出しを防止する機能を奏し得る。
【００２４】
次に、前記屋根装置１４について説明する。図１に示すように、屋根装置１４は、前記屋根板１５と、該屋根板１５の左右両側部を下方から支持する一対の支持具３８と、これら支持具３８を前記各支持枠２３の屋根固定フレーム２５に固定するための一対の固定具３９とを備えている。これら左右各一対の支持具３８及び固定具３９は、左右で対称形をなしており、同一の構成となっている。
【００２５】
図４及び図５に示すように、前記固定具３９は、該固定具３９を前記屋根固定フレーム２５に固定するための固定部４０と、前記支持具３８が取り付けられる取付部４１とを備えている。固定具３９における固定部４０は、金属板を断面横Ｌ字状に折曲して形成されている。この固定部４０の下方へ垂れ下がった側壁４２には、縦方向及び横方向に伸びる長孔からなる固定孔４２ａが複数透設されている。この固定具３９は、固定部４０を前記屋根固定フレーム２５の上部内角部に当接させた状態とし、何れかの固定孔４２ａを介して固定ねじ４３が該屋根固定フレーム２５の前記屋根固定孔２７に螺合されることにより、前記支持枠２３に固定されるように構成されている。
【００２６】
また、前記屋根固定フレーム２５の上面で外角部には、ガイド突条２５ａが突設されている。このガイド突条２５ａ内には、支持枠２３に固定具３９が固定される場合に、固定部４０の側方へ延びる上壁４４の側縁部が挿入されるようになっている。そして、固定部４０は、固定ねじ４３を緩めたり、外したり等することにより、上壁４４の側縁部がガイド突条２５ａに案内された状態で、前記屋根固定フレーム２５に対して前後方向へ滑動（スライド）することができるように構成されている。
【００２７】
固定具３９における取付部４１は、前記固定部４０の上部内側縁から上方へ固定部４０の側壁４２と同一平面を形成するように延設されており、板状に形成されている。取付部４１の前部側及び後部側には、固定具３９に前記支持具３８を取り付けて支持するための一対の支持孔（図示略）が穿設されている。一方、前記支持具３８は、前記固定具３９の前記取付部４１に取り付けられる被取付部４５と、前記屋根板１５を装着するための装着部４６とを備えている。該被取付部４５の内側面には、一対のＣ管状をなす取着部４７（図１を参照）が突設されている。これら取着部４７は、前記固定具３９における取付部４１の各支持孔とそれぞれ対応する位置関係となるように設けられている。そして、支持具３８を前記固定具３９に取り付ける場合、前記各支持孔を介して各取着部４７にそれぞれ取着ねじ４８が螺入されることにより、前記固定具３９の前記取付部４１に支持具３８が取着されて支持されるように構成されている。また、前記支持具３８において、前記装着部４６は、長板状に形成されており、前記被取付部４５に対して前斜め下方へ傾斜するように設けられている。この装着部４６の前部と後部には、それぞれ装着孔４９（図１を参照）が穿設されている。
【００２８】
前記屋根板１５は、前記支持具３８に前記屋根板１５が装着された場合に装着部４６上に配置される中央屋根材５０と、該中央屋根材５０を前後から挟み込むように同中央屋根材５０に連結される一対の端部屋根材５１とを備えている。該中央屋根材５０の下面において、前後両端縁には、被連結爪５２が突設されており、前後両端部には該被連結爪５２と平行に延びるようにガイドレール５３が突設されている。各端部屋根材５１の下面において、中央屋根材５０の被連結爪５２と対応する位置には連結爪５４が突設されている。
【００２９】
前記屋根板１５は、中央屋根材５０の各被連結爪５２に各端部屋根材５１の連結爪５４がそれぞれ外嵌されて組み付けられることによって形成されている。この中央屋根材５０に各端部屋根材５１が組み付けられた状態で、各ガイドレール５３と各連結爪５４との間にはそれぞれ装着ボルト５５が挟持されている。そして、前記屋根板１５は、各装着ボルト５５を、前記支持具３８における装着部４６の装着孔４９に挿通し、同装着ボルト５５に蝶ナット（図示略）を螺着することにより、前記支持具３８に固定されるように構成されている。また、この屋根板１５は、蝶ナットを緩めることにより、装着孔４９に位置保持された装着ボルト５５に対し、ガイドレール５３に案内させた状態で左右方向へスライドすることができるように構成されている。
【００３０】
次に、前記屋根増設装置１２の平置台１１への取り付け方法について以下に記載する。
屋根増設装置１２を取り付ける場合には、取り付けの前準備として、平置台１１の各隅角部でキャップを取り外して連結穴２２を開放しておくとともに、六角穴付ボルト３７を取り外しておく。また、屋根増設装置１２の支持装置１３において、支持枠２３及び連結装置２８は、工場等で予め組み付けられており、屋根装置１４において、屋根板１５、支持具３８、固定具３９等は工場等で予め組み付けられているものとする。さて、屋根増設装置１２を取り付けるとき、まず平置台１１の連結穴２２に各支持枠２３の支柱２４下端から突出する連結筒２９の下端部２９ａを嵌入する。連結筒２９の下端部２９ａを嵌入するとき、圧接具３０の下部３０ｂ内側面と、連結筒２９の外側面との間には、支持脚１６の側壁及び接続具１９が挟着される。このまま、連結筒２９の下端部２９ａを連結穴２２に嵌入した場合、やがて支柱２４の下端が支持脚１６の上端に当接されることにより、これ以上の連結筒２９の挿入が規制された状態となる。この状態で六角穴付ボルト３７を締付穴３４に挿入し、同六角穴付ボルト３７を締め付けることにより、連結穴２２に支柱２４が連結固定される。そして、各支柱２４において、同様の操作を繰り返すことにより、平置台１１に対する支持装置１３の取り付けが完了する。
【００３１】
次いで、両支持枠２３の上端に屋根装置１４を取り付ける。このとき、左右一対の支持枠２３は、前記圧接具３０が前記平置台１１の内側に取り付けられていることから、内側に傾こうとする応力が加わっている。そこで、左右一対の支持枠２３を若干外側に開くように保持しつつ、屋根装置１４を取り付ける。この支持枠２３に取り付けられた屋根装置１４は、両支持枠２３に外側に開くような応力を加えつつ、両支持枠２３の上部を連結する、いわゆる「梁」として機能し得るものとなる。なお、屋根装置１４の取り付け時において、前記屋根固定フレーム２５の上面で外角部には、ガイド突条２５ａが突設されているため、固定具３９の誤った装着が防止される。その後、前記平置台１１に載置されている室外機１０の位置に合わせ、屋根装置１４の屋根板１５を前後左右にスライドさせ、該屋根板１５の位置調節を行い、該屋根板１５を固定することにより、屋根装置１４の取り付けが完了し、前記屋根増設装置１２の平置台１１への取り付けが終了する。そして、平置台１１へ取り付けられた状態の当該屋根増設装置１２においては、平置台１１上で左右一対の支持枠２３が屋根装置１４の重量を受けて、該屋根装置１４を下方から支持するものとなる。
【００３２】
前記の第１実施形態によって発揮される効果について、以下に記載する。
（１）例えば豪雪時等の場合、室外機１０の天板１０ａに取り付ける従来構成の屋根装置であれば、天板１０ａは、その強度が６０ｋｇ程度しかなく、屋根装置と雪との総重量が天板１０ａに加わるため、該天板１０ａが変形するおそれがある。これに対し、第１実施形態の屋根増設装置１２によれば、平置台１１上に支持装置１３を構成する左右一対の支持枠２３が付設されており、これら支持枠２３によって屋根板１５を有する屋根装置１４が下方から支持されている。このため、屋根装置１４と支持装置１３との総重量は、平置台１１上に載置された室外機１０の天板１０ａには加わらず、平置台１１に加わる構成となっている。また、屋根板１５上への積雪量が過大となっても、その重量は両支持枠２３を介して平置台１１で受けられることになる。従って、既設の屋根なし載置台である平置台１１上に載置された状態にある室外機１０の上方に、該室外機１０への重量負担をかけることなく、好適に屋根装置１４を増設することができる。
【００３３】
（２）また、支持脚１６の長さ以外は平置台１１と同様の構成である「高置台」においても、上記（１）に記載の効果を発揮し得る。
（３）また、支持装置１３を構成する一対の支持枠２３は、それぞれ支柱２４を有しており、これら支柱２４の下端部には、平置台１１に該支柱２４を連結固定するための連結装置２８が設けられている。このため、既設の平置台１１に対しても、該連結装置２８を用いて各支柱２４の下端部を連結固定することにより、屋根装置１４を簡易に増設することができる。
【００３４】
（４）また、平置台１１においては、連結穴２２の連結穴輪郭形状Ｓ２が支柱２４の支柱輪郭形状Ｓ３よりも小さいことから、支柱２４の下端部を連結穴２２内に嵌合態様で挿入できない構成となっている。そこで、本実施形態の連結装置２８は、連結穴２２内に嵌合態様で挿入される連結筒２９と、該連結筒２９の外側面を連結穴２２の内側面に圧接させる圧接具３０とを備えている。このため、平置台１１が支柱２４の下端部を連結穴２２内に嵌合態様で挿入できない構成であっても、該平置台１１上に支持装置１３を好適に付設することができる。
【００３５】
（５）また、前記連結筒２９は、支柱２４及び連結穴２２のそれぞれの内部に挿入され、支柱２４及び連結穴２２を連結するように構成されている。このため、特に、連結穴２２の連結穴輪郭形状Ｓ２が支柱２４の支柱輪郭形状Ｓ３よりも小さい場合に、該連結筒２９を好適に機能させることができる。
【００３６】
（６）また、前記圧接具３０は、前記連結筒２９の外側面を前記連結穴２２の内側面に圧接させるものである。このため、例えば連結穴２２に対する連結筒２９の挿入が浅い場合であっても、圧接具３０を用いて連結筒２９の外側面を連結穴２２の内側面に圧接させることにより、平置台１１上に支持枠２３を強固に取り付けることができる。
（第２実施形態）
以下、本発明を、２基の室外機を載置可能に構成された屋根なし載置台としての二段置台に使用される屋根増設装置に具体化した第２実施形態について図６〜図８を参照しながら説明する。なお、この第２実施形態においては、上記第１実施形態と異なる点を中心に説明する。
【００３７】
図６に示すように、２基の室外機１０（２点鎖線で図示）は、上下に並べられた状態で、それぞれ二段置台６０に設置されている。この二段置台６０上には、屋根増設装置１２が取り付けられている。この屋根増設装置１２は、前記二段置台６０に付設される支持装置１３と、該支持装置１３により下方から支持される屋根装置１４とからなる。これら支持装置１３及び屋根装置１４は、支柱２４の下端に設けられる連結装置２８を除き、上記の第１実施形態と同一の構成である。そして、屋根装置１４における屋根板１５は、前記二段置台６０に載置された２基の室外機１０のうち、上方に位置する室外機１０のさらに上方で該室外機１０の天板１０ａを覆う位置に配置されている。
【００３８】
以下、上記の二段置台６０及び本実施形態の連結装置２８について、より詳細に説明する。
まず、二段置台６０について説明する。図６に示すように、二段置台６０は、４本の支持脚フレーム６１を備えている。これら支持脚フレーム６１のうち左右各一対において、支持脚フレーム６１の下端部間には、一対の下段横フレーム６２が架設されており、上端部間には、一対の上段横フレーム６３が架設されている。さらに、支持脚フレーム６１のうち前後各一対において、支持脚フレーム６１の下端部間には、一対の下段縦フレーム６４が架設されており、上端部間には、一対の上段縦フレーム６５が架設されている。これら支持脚フレーム６１、下段横フレーム６２、上段横フレーム６３、下段縦フレーム６４及び上段縦フレーム６５は、それぞれの端部が接続ブラケット６６を介して互いに接続されることにより、二段置台６０の枠組構造を構成している。各一対の下段横フレーム６２及び上段横フレーム６３のそれぞれの間には、下段ベース６７及び上段ベース６８が架設されており、これら下段ベース６７及び上段ベース６８上に前記室外機１０がそれぞれ載置固定されるようになっている。
【００３９】
前記各接続ブラケット６６は、それぞれ筒状に形成されている。これら接続ブラケット６６のうち、二段置台６０の下段に配置された４つは、それぞれの下端に二段置台６０の水平調整を行うための調整脚６９が取り付けられている。そして、各接続ブラケット６６のうち、二段置台６０の上段に配置された４つは、それぞれの上端の開口が前記支持装置１３を取り付けるための連結穴２２とされている。なお、特に図示はしないが、当該二段置台６０においても、屋根増設装置１２が取り付けられる前の状態で各連結穴２２にはキャップが嵌め込まれており、屋根増設装置１２を取り付ける場合にはこのキャップを連結穴２２から取り外すようになっている。
【００４０】
次に、前記連結装置２８について説明する。図７（ａ），（ｂ）及び図８（ａ），（ｂ）に示すように、前記連結装置２８は、支柱２４の下端部に装着される連結具としてのスペーサ７０から構成されている。このスペーサ７０は、筒状をなすように形成されており、その上端開口が支柱２４を挿入するための挿入口７１とされている。スペーサ７０の下端には、その内周縁からスペーサ７０の内側へ延びるように規制片７２が形成されている。この規制片７２は、スペーサ７０の内部に支柱２４の下端部が挿入された場合に、該支柱２４がスペーサ７０の下端から突出することを規制するものである。スペーサ７０の内側面７３は、前記挿入口７１へ向かうに従い、同スペーサ７０の内側へ傾斜するテーパ形状に形成されている。また、スペーサ７０の壁部には、複数のスリット７４が透設されている。これらスリット７４は、スペーサ７０を支柱２４の下端部に嵌め込む場合には、広がることによって支柱２４にスペーサ７０を嵌め込みやすくするとともに、支柱２４の下端部を前記連結穴２２に挿入する場合には、狭まることによって連結穴２２にスペーサ７０及び支柱２４の下端部を挿入しやすくするものである。
【００４１】
次に、前記二段置台６０及び前記支持装置１３に対する前記スペーサ７０の取付態様について説明する。
前記スペーサ７０は、挿入口７１からその内部に前記支柱２４の下端部を挿入することにより、前記支柱２４の下端部に装着されている。すなわち、当該スペーサ７０が前記支柱２４の下端部を構成することとなる。このスペーサ７０は、その外側面７０Ａにより形成されるスペーサ輪郭形状（図８（ｂ）中に「Ｓ４」として図示）が、前記連結穴２２の内側面により形成される連結穴輪郭形状（図８（ｂ）中に「Ｓ５」として図示）と略同じ大きさとなるように形成されている。これに対し、支柱２４は、その下端部の外側面により形成される支柱輪郭形状（図８（ｂ）中に「Ｓ３」として図示）が前記連結穴輪郭形状Ｓ５よりも小さく形成されている。なお、当然ではあるが、スペーサ７０は支柱２４の外側面上に嵌着可能に構成されていることから、スペーサ輪郭形状Ｓ４は、支柱輪郭形状Ｓ３よりも大きくなるように形成されている。
【００４２】
このように連結穴輪郭形状Ｓ５が支柱輪郭形状Ｓ３よりも大きいため、二段置台６０においては、連結穴２２の内側面と支柱２４の外側面との間に間隙７５が形成されてしまうため、支柱２４を連結穴２２に嵌合態様で挿入することは不可能である。このため、二段置台６０に支柱２４を連結する場合には、支柱２４の外側面上に嵌着されたスペーサ７０を前記間隙７５を埋めるようにして挿入される間詰部材とすることにより、支柱２４の下端部が連結穴２２に嵌合態様で挿入される。また、スペーサ７０は、その内側面７３がテーパ形状とされているため、支柱２４の下端部を連結穴２２に挿入するに従い、該内側面７３を支柱２４の外側面に圧接させる。この圧接に応じて、支柱２４の下端部を構成するスペーサ７０は、その外側面７０Ａを前記連結穴２２の内側面に圧接させる圧接具としての機能をも奏し得る。加えて、該スペーサ７０は、その外側面７０Ａを前記連結穴２２の内側面に圧接させることにより、前記連結穴２２に対する前記支柱２４の下端部の抜け出しを防止する機能を奏し得る。
【００４３】
なお、前記支柱２４は、前記一対の固定穴３１の間に、これら固定穴３１よりも小径な第２固定穴７６を有している。前記スペーサ７０において、スリット７４のうちの１つは、該第２固定穴７６を外部へ露出させるように配置されている。また、前記支柱２４の下端部を前記連結穴２２に挿入した場合、接続ブラケット６６には、第２固定穴７６と対応する位置に補助固定穴７７が透設されている。そして、補助固定穴７７及び第２固定穴７６を位置合わせした状態で、これらに補助固定ねじ７８を螺入することにより、前記連結穴２２に対する前記支柱２４の下端部の抜け出しを確実に防止する機能を奏し得る。
【００４４】
前記の第２実施形態によって発揮される効果について、以下に記載する。
（７）前記二段置台６０では、前記連結装置２８をスペーサ７０とするのみで、前記第１実施形態の支持装置１３及び屋根装置１４を取り付けることができる。このため、二段置台６０においても、上記（１）〜（３）に記載の効果を発揮し得る。
【００４５】
（８）また、二段置台６０においては、連結穴２２の連結穴輪郭形状Ｓ５が支柱２４の支柱輪郭形状Ｓ３よりも大きいことから、支柱２４の下端部を連結穴２２内に嵌合態様で挿入できない構成となっている。そこで、本実施形態の連結装置２８は、スペーサ７０を備えている。このため、二段置台６０が支柱２４の下端部を連結穴２２内に嵌合態様で挿入できない構成であっても、該二段置台６０上に支持装置１３を好適に付設することができる。
【００４６】
（９）また、第１実施形態の支柱２４と本実施形態の支柱２４とは同一の構成であり、連結装置２８は、前記連結筒２９及び圧接具３０からスペーサ７０へ付け替えることも、スペーサ７０から前記連結筒２９及び圧接具３０へ付け替えることも可能である。このため、屋根増設装置１２は、連結装置２８の交換という小変更のみで、種々の載置台に柔軟に対応することができる。
【００４７】
（１０）また、スペーサ７０は、支柱２４の外側面上に嵌着され、支柱２４及び連結穴２２を連結するように構成されている。このため、特に、連結穴２２の連結穴輪郭形状Ｓ５が支柱２４の支柱輪郭形状Ｓ３よりも大きい場合に、該スペーサ７０を好適に機能させることができる。
【００４８】
（１１）また、スペーサ７０は、その内側面７３をテーパ形状としたことにより、該スペーサ７０によって形成される支柱２４の外側面を前記連結穴２２の内側面に圧接させる圧接具としても機能し得るように構成されている。このため、二段置台６０に支持装置１３を強固に取り付けることができるとともに、部品点数を削減し、連結装置２８の支柱２４に対する取付けを簡略化することができる。なお、部品点数を削減は、コスト面でも好適である。
【００４９】
なお、第１及び第２実施形態は、次のような別の実施形態（別例）に変更してもよい。
・  連結穴輪郭形状と支柱輪郭形状との大小に応じ、例えば二段置台６０で連結穴輪郭形状が支柱輪郭形状よりも小さい場合、連結装置２８として、前記連結筒２９等を使用してもよい。また、平置台１１で連結穴輪郭形状が支柱輪郭形状よりも大きい場合、前記スペーサ７０等を使用してもよい。すなわち、前記連結筒２９、前記スペーサ７０等の連結装置２８は、連結穴輪郭形状と支柱輪郭形状との大小に応じて使い分けされるものであり、二段置台６０、平置台１１等のように載置台に載置可能な室外機１０の基数に応じて使い分けされるものではない。このように構成した場合にも、上記（１）〜（１１）に記載の効果を奏し得る。
【００５０】
・  第１実施形態において、連結筒２９のみで連結穴２２に十分に嵌合態様で挿入可能であれば、圧接具３０を省略してもよい。このように構成した場合にも、上記（１）〜（５）に記載の効果を奏し得る。
【００５１】
・  圧接具３０は、第１実施形態に記載のものに限らず、例えば連結筒２９に接続穴３６と対応する位置にねじ孔を設け、接続穴３６及び該ねじ孔に六角穴付ボルト３７を螺入することにより、該六角穴付ボルト３７を圧接具としてもよい。他にも、連結筒２９の外側面を連結穴２２の内側面に圧接可能であれば、圧接具を何れの構成で実現してもよい。このように構成した場合にも、上記（６）に記載の効果を奏し得る。
【００５２】
・  連結穴輪郭形状が支柱輪郭形状Ｓ３と略同一であれば、前記連結筒２９、前記スペーサ７０等を装着することなく、支柱２４の下端部を連結装置２８として、連結穴２２に挿入してもよい。このように構成した場合にも、上記（１）、（２）に記載の効果を奏し得る。
【００５３】
・  挿入部材は、連結筒２９に限らず、連結穴２２に挿入可能であれば、連結板、支柱２４の下端部等、何れの構成としてもよい。このように構成した場合にも、上記（１）、（２）に記載の効果を奏し得る。
【００５４】
・  間詰部材は、スペーサ７０に限らず、連結穴２２の内側面と支柱２４の外側面との間隙を埋めることが可能であれば、接着剤、シール剤等の液状のもの、或いはゲル体等の半固形状のもの等、何れの構成としてもよい。このように構成した場合にも、上記（１）、（２）に記載の効果を奏し得る。
【００５５】
・  支持装置１３は、門状をなす一対の支持枠２３からなるものに限らず、例えば支柱２４のみからなるもの、支持枠２３同士の間にフレームを架設して篭状の枠組構造としたもの等、屋根装置１４を支持可能で有れば、何れの構成としてもよい。このように構成した場合にも、上記（１）に記載の効果を奏し得る。
【００５６】
・  屋根装置１４は、実施形態のものに限らず、例えば屋根板１５のみからなるもの、支持具３８及び固定具３９を一体化したもの等、載置台に載置された室外機１０を防雪・日除け可能な構成であれば、何れの構成としてもよい。このように構成した場合にも、上記（１）に記載の効果を奏し得る。
【００５７】
・  載置台は、上記の平置台１１、高置台、二段置台６０以外にも、室外機１０を載置可能であって、前記屋根板１５のような防雪・日除けのための屋根板を有するものでなければ、何れの構成であってもよい。例えば、複数基の室外機を水平方向へ並べて載置可能な載置台に屋根増設装置１２を取り付けてもよい。このように構成した場合にも、上記（１）に記載の効果を奏し得る。
【図面の簡単な説明】
【００５８】
【図１】第１実施形態の載置台及び屋根増設装置を示す分解斜視図。
【図２】第１実施形態の屋根増設装置において連結装置を示す分解斜視図。
【図３】（ａ）は第１実施形態において載置台に屋根増設装置の支柱を連結した状態を示す斜視図、（ｂ）は同状態を示す正断面図。
【図４】第１実施形態の屋根増設装置において屋根装置を示す正断面図。
【図５】第１実施形態の屋根増設装置において屋根装置を示す側断面図。
【図６】第２実施形態の載置台及び屋根増設装置を示す分解斜視図。
【図７】（ａ）は第２実施形態の屋根増設装置において連結装置を示す分解斜視図、（ｂ）は第２実施形態の連結具を示す断面図。
【図８】（ａ）は第２実施形態において載置台に屋根増設装置の支柱を連結した状態を示す斜視図、（ｂ）は同状態を示す正断面図。
【符号の説明】
【００５９】
１０…空気調和機用室外機、１１…載置台としての平置台、１２…屋根増設装置、１３…支持装置、１５…屋根板、２２…連結穴、２４…支柱、２８…連結装置、２９…挿入部材としての連結筒、３０…圧接具、６０…載置台としての二段置台、７０…間詰部材としてのスペーサ、７５…間隙。
【図１】
2006153308.tif 000003
【図２】
2006153308.tif 000004
【図３】
2006153308.tif 000005
【図４】
2006153308.tif 000006
【図５】
2006153308.tif 000007
【図６】
2006153308.tif 000008
【図７】
2006153308.tif 000009
【図８】
2006153308.tif 000010